(57)【要約】【課題】光学素子保持群の光軸と平行な方向へ伸びた腕部が弾性変形する構成とした時、弾性変形した腕部と内側に来る他の光学素子保持群が干渉しないようにするため、投影面積が広くなりレンズ鏡筒が大型化してしまうという問題があった。【解決手段】第一の支持部材は光軸と直交方向に延びた複数の腕部と、腕部に形成されたカムピンとを備え、カムピンは対向するカム筒のカム溝に、腕部の弾性力によって押圧されており、腕部の少なくとも１本は、第一の支持部材の内径側に配置された駆動ユニットの駆動部と光軸と直行方向において略平行であり、第一の支持部材から光軸方向へ伸びた複数のリブが光軸と直交方向で駆動部を避けるように配置されており、複数のリブは光軸方向で駆動部と重畳しており、腕部の先端に係止部が形成され、対向する別部材に設けられた係止部と隣接していること。【選択図】図９
2016102845.tif 000002
【特許請求の範囲】
【請求項１】
撮影光学系を構成する複数の光学要素を有するレンズ鏡筒であって、
光学要素を支持する第一の支持部材（２１）が光軸方向に進退し、前記第一の支持部材（２１）の少なくとも一部が、光軸方向で隣接する、駆動部（６２）を保持する駆動ユニット（６０）に光軸と直交方向で重畳する構成において、
第一の支持部材（２１）は
光軸と直交する方向に延びた複数の腕部（２１ｂ）と、
前記腕部に形成されたカムピン（２１ａ）とを備え、
前記カムピン（２１ａ）は対向するカム筒（１２）のカム溝（１２ａ）に、前記腕部（２１ｂ）の弾性力によって押圧されており、
前記腕部（２１ｂ）の少なくとも１本は、前記第一の支持部材（２１）の内径側に配置された駆動ユニット（６０）の駆動部（６２）と光軸と直行する方向において平行であり、
前記第一の支持部材（２１）から光軸方向へ伸びた複数のリブ（２１ｄ）が光軸と直交する方向で駆動部（６２）を避けるように配置されており、
前記複数のリブ（２１ｄ）は光軸方向で駆動部（６２）と重畳しており、
前記腕部（２１ｂ）の先端に係止部（２１ｅ）が形成され、対向する別部材（１３）に設けられた係止部（１３ｃ）と隣接していることを特徴とするレンズ鏡筒。
【発明の詳細な説明】
【技術分野】
【０００１】
本発明はレンズ鏡筒、およびこれを用いたデジタルカメラやビデオカメラ等の撮像装置に関するものである。
【背景技術】
【０００２】
従来、複数の筒体を移動、回転させることにより撮影可能なレンズ鏡筒を有する撮像装置において、撮像装置の小型化のため、撮影状態では焦点距離を調整するためにレンズ鏡筒がボディから繰り出され、非撮影状態ではレンズ鏡筒がボディ内部に収納される構成となっている。
【０００３】
例えば特許文献１において、光学素子保持群の光軸と平行な方向へ伸びた腕部が弾性をもっており、前記腕部の先端に付いているカムピンが相手側のカム筒にチャージされている構成となるものが知られている。このような構成とすることで、光学素子保持群を精度よく保持することが出来る。
【先行技術文献】
【特許文献】
【０００４】
【特許文献１】特開２０００−２９２６７２号公報
【発明の概要】
【発明が解決しようとする課題】
【０００５】
上記の特開２０００−２９２６７２号公報では、光学素子保持群の光軸と平行な方向へ伸びた腕部が弾性をもっており、前記腕部の先端に付いているカムピンを相手側のカム筒にチャージさせることで、光学素子保持群の保持精度を向上させている。
【０００６】
しかし、光学素子保持群の光軸と平行な方向へ伸びた腕部が弾性変形する構成とした時、弾性変形した腕部と内側に来る他の光学素子保持群が干渉しないようにするため、投影面積が広くなりレンズ鏡筒が大型化してしまうという問題があった。
【課題を解決するための手段】
【０００７】
撮影光学系を構成する複数の光学要素を有するレンズ鏡筒であって、
光学要素を支持する第一の支持部材（２１）が光軸方向に進退し、前記第一の支持部材（２１）の少なくとも一部が、光軸方向で隣接する、駆動部（６２）を保持する駆動ユニット（６０）に光軸と直交方向で重畳する構成において、
第一の支持部材（２１）は
光軸と直交する方向に延びた複数の腕部（２１ｂ）と、
前記腕部に形成されたカムピン（２１ａ）とを備え、
前記カムピン（２１ａ）は対向するカム筒（１２）のカム溝（１２ａ）に、前記腕部（２１ｂ）の弾性力によって押圧されており、
前記腕部（２１ｂ）の少なくとも１本は、前記第一の支持部材（２１）の内径側に配置された駆動ユニット（６０）の駆動部（６２）と光軸と直行する方向において略平行であり、
前記第一の支持部材（２１）から光軸方向へ伸びた複数のリブ（２１ｄ）が光軸と直交する方向で駆動部（６２）を避けるように配置されており、
前記複数のリブ（２１ｄ）は光軸方向で駆動部（６２）と重畳しており、
前記腕部（２１ｂ）の先端に係止部（２１ｅ）が形成され、対向する別部材（１３）に設けられた係止部（１３ｃ）と隣接している。
【発明の効果】
【０００８】
本発明によれば、レンズ保持枠を大型化することなく強度を向上出来る。
【図面の簡単な説明】
【０００９】
【図１】本発明の実施形態に係る撮像装置の外観斜視図。
【図２】本発明の実施形態に係るレンズ鏡筒の断面図（収納状態）
【図３】本発明の実施形態に係るレンズ鏡筒の断面図（撮影状態）
【図４】本発明の実施形態に係るレンズ鏡筒の分解斜視図
【図５】２群ホルダ、絞りシャッタユニット斜視図。
【図６】２群ホルダ、絞りシャッタユニット背面図。
【図７】２群ホルダ、絞りシャッタユニットＡ−Ａ断面図
【図８】（ａ）２群ホルダ、固定筒上面図（ｂ）Ｄ部拡大図
【図９】２群ホルダ、絞りシャッタユニットＢ−Ｂ断面図
【図１０】（ａ）２群ホルダ背面図（ｂ）絞りシャッタユニット斜視図
【図１１】フォーカスモータ周辺メカ構成斜視図
【図１２】（ａ）フォーカスモータユニット斜視図（ｂ）フォーカスモータユニット側面図
【図１３】フォーカスモータユニットの分解斜視図
【図１４】（ａ）フォーカスモータユニット側面図（ｂ）フォーカスモータユニットＥ−Ｅ断面図
【発明を実施するための形態】
【００１０】
［実施例１］
以下、図１から図４を参照して、本発明の第1の実施例による、撮像装置について説明する。第１の実施例はフォーカスモータとフォトインタラプタ等の検知手段との光軸方向の位置関係を詳細に述べるものである。
【００１１】
図１は本発明の適用されるカメラであり、１はカメラ本体である。このカメラ本体１の前面には撮影レンズの焦点距離が変更可能なレンズ鏡筒２が設けられている。レンズ鏡筒２の前面には前玉レンズ３を保護するレンズキャップが取り付け可能なようになっている。また、カメラ本体１の上面には被写体に照明光を照射するストロボ装置を構成する発光窓部４が設けられ、カメラ本体１の前面にはファインダ窓５が設けられている。
【００１２】
さらに、カメラ本体１の上面には撮影準備動作（焦点調節動作および測光動作）及び撮影動作（フィルムやセンサー等の撮像素子への露光）を開始させるためのレリーズボタン６が設けられている。なお、上記図１はカメラの代表的な模式図であり、本発明は上記の構成に限定されるものではない。
【００１３】
図２及び図３は、本実施例を適用した撮像装置の鏡筒断面図であり、図２は鏡筒が収納状態の図であり、図３は鏡筒が撮影状態の図である。また、図４は本実施例を適用した撮像装置の鏡筒分解斜視図である。
【００１４】
図１乃至図４に示すように、本実施例の鏡筒においては、４群の撮影レンズ群で構成される。１群レンズ１０Ｌは１群筒１１に、２群レンズ２０Ｌは２群ホルダ２１に、３群レンズ３０Ｌは３群ホルダ３１に、４群レンズ４０Ｌは４群ホルダ４１に保持されている。またフォーカス群である５群レンズ５０Ｌは５群ホルダ５１に保持される。鏡筒ユニット２は以上のレンズ群を保持し、光軸方向へ進退可能な機構を有している。また、鏡筒ユニット２はカメラボディ１に対して据え付けられることでカメラとして機能する。
【００１５】
次に、鏡筒ユニット２の内部構成および動作について説明する。固定筒１３は、１群筒１１を直進ガイドするガイド部１３ａと、２群ホルダ２１を直進ガイドするガイド溝１３ｂを有している。
【００１６】
１群筒１１は、内径側に設けられた直進溝１１ａと固定筒１３のガイド部１３ａが係合する。２群ホルダ２１は、３本の腕部２１ｂに設けられた直進ガイド２１ｃと固定筒１３のガイド溝１３ｂが係合する。これらの回転規制により、１群筒１１、２群ホルダ２１は、光軸方向へ直進ガイドされる。
【００１７】
また、固定筒１３は、２本のガイドバー１６をそれぞれ内径側に保持している。ガイドバー１６は、光量を制御する絞りシャッタユニット６０中の絞りシャッタユニットベース６１のガイド部６１ｂ（図４）と係合する。さらに３群ユニット中の３群ベース３１に備えられた係合部３１ｂ（図４）、４群ユニット中の４群ベース４１に備えられた係合部４１ｂ（図４）と係合する。これらの２本のガイドバー１６の回転規制により、絞りシャッタユニット６０、３群ユニット、４群ユニットは、光軸方向へ直進ガイドされる。
【００１８】
カム筒１２は、その外径側にカム溝１２ａが設けられ、１群筒１１のカムピン１１ｂと係合する。また、内径側にカム溝１２ｂが設けられ、２群ホルダ２１の腕部２１ｂに設けられたカムピン２１ａ、絞りシャッタユニットベース６１のカムピン６１ａ（図４）、３群ユニット中の３群ベース３１のカムピン３１ａ（図４）、４群ユニット中の４群ベース４１のカムピン４１ａ（図４）とそれぞれ係合する。これらのカム溝のリフト量により各群の光軸方向の移動量が制御される。
【００１９】
ここで、カムピン２１ａは、カム筒１２の内側カム溝１２ｂと係合する際、カム溝１２ｂに対し押圧されるように構成されていることから、２群ホルダの腕部２１ｂは光軸と直交方向（図７中Ｃ方向）へ撓むよう構成されている。この時、図８に示すように、２群ホルダの腕部２１ｂに設けられたリブ形状２１ｃ横の係止部２１ｅと固定筒１３の係止部１３ｃが隣接して形成されている。これにより、２群ホルダの腕部２１ｂの撓みを規制し、隣接する部品との干渉を回避している。
【００２０】
図９に３本の２群ホルダの腕部２１ｂの配置を示す。２群ホルダの腕部２１ｂの少なくとも１本が、絞りシャッタユニット６０の駆動部６２と光軸と直交する方向で隣接されるように配置されている。さらに、２群ホルダ２１には光軸と直交する方向で駆動部６２を避けた位置に、光軸方向に伸びた複数のリブ２１ｄが略等間隔に形成されている。これにより、２群ホルダ２１の駆動部６２が隣接して配置されていない箇所は、薄肉部であってもリブ２１ｄにより強度を上げることが出来る。この時、絞りシャッタユニットベース６１には２群ホルダ２１のリブ２１ｄを避けるため、切り欠き部６１ｃが設けられている。
【００２１】
２群ホルダ２１の、駆動部６２が隣接して配置されている箇所に関しては、駆動部６２と光軸方向で干渉してしまうためリブ２１ｄを配置できない。しかし、図９で示すように、駆動部６２の直線部６２ａと２群ホルダ２１の内周との間は、円周と直線で挟まれた空間のため他の箇所と比べ広く、厚肉の腕部とすることが出来るため、２群ホルダ２１の強度を上げることが出来る。これにより、２群ホルダ２１を大型化することなく２群ホルダ全体の強度を上げることが出来る。
【００２２】
カム筒１２は、不図示の動力源により固定筒１３の外周を光軸中心に回転し、各群は、カム溝に沿って光軸方向へそれぞれ移動する。このような構成により、鏡筒ユニット２は、撮影時と沈胴時で鏡筒全長を変化させ、各群を光軸方向へ移動させることができる。
【００２３】
センサーホルダ１４は、撮像素子１５およびフォーカスモータ７１を保持する。フォーカスモータ７１の動力により５群ホルダ５１はガイド軸５２にガイドされながら光軸方向へ移動する。
【００２４】
固定筒１３とセンサーホルダ１４はビス等で固定される。また、ユニットとなった鏡筒ユニット２はセンサーホルダ１４を介してビス等で固定され、カメラボディ１に保持される。
【００２５】
次に第一の実施例として、図１１〜１４を用いて、５群（フォーカス群）周辺のメカ構成を説明する。図１１は５群の斜視図を示している。５群ホルダ５１は、ラック５４と圧縮バネ５３を用い、５群ホルダ軸穴５１ａにラック軸部５４ａを嵌合させ圧縮バネ５３押し当てることで光軸方向のガタをなくしている。ラック５４はフォーカスモータ７１から光軸方向に延びたスクリュー７１ａと噛み合う構造になっており、スクリュー７１ａとラック５４はトーションバネの機能も持つ、圧縮バネ５３により噛み合い方向へ付勢されている。
【００２６】
５群ホルダ５１は、フォーカスモータ７１が励磁されることで進退するラック５４に、スクリュー７１ａ側に追従する形で、ガイドバー５２に沿って光軸方向に進退している。フォーカスモータ７１はセンサーホルダ１４に対し、コの字板金フランジ部７２ａに開けた２つの位置決め穴７２ｄで位置決めを行い、ビス穴７２ｅを通して締結されている。図１３においてフォーカスモータ７１は、スクリュー７１ａの根元（撮像面側）に保持部７１ｂを有しており、保持部７１ｂに嵌まるよう構成されたパルス板７３を取り付けることで、スクリュー７１ａとパルス板７３とを一体的に回転可能となっている。
【００２７】
パルス板７３の信号は、フォトインタラプタホルダ７４とコの字板金フランジ部７２ａによって保持された２つのフォトインタラプタ７６で検知され、明暗の位相差で回転方向の検出も行っている。この時、コの字板金７２はフォーカスモータ７１に溶接等により固定され、スクリュー７１ａの被写体側先端を受ける構成となっている。フォトインタラプタホルダ７４は、フォトインタラプタホルダ７４に設けられた突起部７４ｅとコの字板金７２に設けられた突起部７２ｇとの嵌合と、コの字板金フランジ部７２ａのビス穴７２ｆにフォトインタラプタホルダの穴部７４ｃを通してのビス締めによって固定されている。（図１２，１３）フォトインタラプタホルダ７４は、コの字板金フランジ部７２ａより被写体側に配置されている。
【００２８】
フォトインタラプタ７６は、モールドで成型されているフォトインタラプタホルダ７４の立ち壁部分７４ａにある２つの切り欠き部７４ｂに挿入されることで、左右方向を固定されている。また、フォトインタラプタ７６の光軸方向は、フォトインタラプタフォルダ７４の２つの切り欠き部７４ｂとコの字板金フランジ部７２ａに挟み込まれることで固定されている。コの字板金フランジ部７２ａでフォトインタラプタ７６を直接受けることによって、コの字板金フランジ部７２ａを切り欠く必要がなくなり、コの字板金フランジ部７２ａの強度を低下させることなくフォーカスモータ７１を保持でき、更に、フォトインタラプタ７６をスクリュー７１ａにずらす必要が無い為フォーカスストロークを確保できている。
【００２９】
また、この時フォトインタラプタホルダ７４に設けられた突起部７４ｅの側面７４ｆとコの字板金７２に設けられた突起部７２ｇの下部７２ｈが接することで、フォトインタラプタホルダ７４の切り欠き部７４ｂが光軸と直交する方向へ広がることを防止している。フォトインタラプタ７６はフレキ７５に面実装されており、フォトインタラプタ７６の信号線はフォーカスモータ７１の端子部７１ｄからの信号線と共にフレキ７５によってまとめられ、コネクタ部７５ａから外部へ電気接続されるようになっている。
【００３０】
この時、フォトインタラプタ７６の端子部７６ａがコの字板金フランジ部７２ａと接触しないよう、図１４のようにフォトインタラプタ７６の直下のコの字板金フランジ部７２ａの外周部の一部に切り欠き７２Ｉを設けている。これによってフォトインタラプタ７６のショートを防止している。この切り欠き７２Ｉは従来例で述べているフォトインタラプタホルダが潜り込む為の大きな切り欠きでは無いので、コの字板金フランジ部７２ａの強度低下にはならない。
【００３１】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３２】
１３  固定筒、１３ｂ ガイド溝、１３ｃ  係止部、２１ ２群ホルダ、
２１ａ  カムピン、２１ｂ  ２群ホルダ腕部、２１ｃ  直進ガイド、２１ｄ  リブ形状、
２１ｅ  係止部、６１ 絞りシャッタユニットベース、６１ｃ  切り欠き部、
６２ 駆動部、６２ａ  直線部
【図１】
2016102845.tif 000003
【図２】
2016102845.tif 000004
【図３】
2016102845.tif 000005
【図４】
2016102845.tif 000006
【図５】
2016102845.tif 000007
【図６】
2016102845.tif 000008
【図７】
2016102845.tif 000009
【図８】
2016102845.tif 000010
【図９】
2016102845.tif 000011
【図１０】
2016102845.tif 000012
【図１１】
2016102845.tif 000013
【図１２】
2016102845.tif 000014
【図１３】
2016102845.tif 000015
【図１４】
2016102845.tif 000016